(57)【特許請求の範囲】
【請求項１】
ソーラーパネルのリサイクル処理により生じ得る有価物の相場関連情報を取得することと、
前記リサイクル処理の受付情報を取得することと、
取得した前記相場関連情報と、取得した前記受付情報とに基づいて、前記リサイクル処理の費用を見積もることであって、記憶されているソーラーパネルに含まれる有価物のデータを読み出し、取得した前記受付情報における被処理ソーラーパネルの枚数に基づいてリサイクル処理の分別解体処理により生じ得る有価物の量を見積もり、見積もられた前記有価物の量と、取得した前記相場関連情報とに基づいて該有価物の売却予想価格を算出することを含む、前記リサイクル処理の費用を見積もることと
を実行する制御部を備え、
前記リサイクル費用を見積もることは、
前記有価物の取引価格が上がる方向に前記有価物の前記相場関連情報が変動しているとき、前記相場関連情報における前記リサイクル処理の受付処理の所定の時期における有価物の取引価格に基づいて算出された前記有価物の売却予想価格に基づいて前記リサイクル処理の費用を見積もり、
前記有価物の取引価格が下がる方向に前記有価物の前記相場関連情報が変動しているとき、前記相場関連情報に基づいて算出される前記所定の時期から所定期間経過後の前記有価物の取引予想価格に基づいて算出された前記有価物の売却予想価格に基づいて前記リサイクル処理の費用を見積もる
ことを含む、
情報処理装置。
【請求項２】
見積もられる前記リサイクル処理の費用は、前記リサイクル処理で処理される被処理ソーラーパネルに関する運搬費用を含む、
請求項１に記載の情報処理装置。
【請求項３】
前記制御部は、
前記リサイクル処理の分別解体処理により生じ得る有価物の売却処理予定日を算出すること
を更に実行し、
前記売却処理予定日を算出することは、取得した前記相場関連情報が前記有価物の取引価格が上がる方向に変動しているとき前記有価物の保管場所の空き情報に基づいて実行される、
請求項１又は２に記載の情報処理装置。
【請求項４】
前記制御部は、
取得した前記相場関連情報及び、前記リサイクル処理の分別解体処理により生じ得る有価物の保管場所の空き情報のうちの少なくともいずれか一方に基づいて、予め登録している複数の処理業者の中から、前記リサイクル処理の前記分別解体処理を行う業者を選定すること
を更に実行する、
請求項１から３のいずれか一項に記載の情報処理装置。
【請求項５】
少なくとも１つのコンピュータが、
ソーラーパネルのリサイクル処理により生じ得る有価物の相場関連情報を取得することと、
前記リサイクル処理の受付情報を取得することと、
取得した前記相場関連情報と、取得した前記受付情報とに基づいて、前記リサイクル処理の費用を見積もることであって、記憶されているソーラーパネルに含まれる有価物のデータを読み出し、取得した前記受付情報における被処理ソーラーパネルの枚数に基づいてリサイクル処理の分別解体処理により生じ得る有価物の量を見積もり、見積もられた前記有価物の量と、取得した前記相場関連情報とに基づいて該有価物の売却予想価格を算出することを含む、前記リサイクル処理の費用を見積もることと
を実行する、情報処理方法であって、
前記リサイクル費用を見積もることは、
前記有価物の取引価格が上がる方向に前記有価物の前記相場関連情報が変動しているとき、前記相場関連情報における前記リサイクル処理の受付処理の所定の時期における有価物の取引価格に基づいて算出された前記有価物の売却予想価格に基づいて前記リサイクル処理の費用を見積もり、
前記有価物の取引価格が下がる方向に前記有価物の前記相場関連情報が変動しているとき、前記相場関連情報に基づいて算出される前記所定の時期から所定期間経過後の前記有価物の取引予想価格に基づいて算出された前記有価物の売却予想価格に基づいて前記リサイクル処理の費用を見積もる
ことを含む、
情報処理方法。
【請求項６】
見積もられる前記リサイクル処理の費用は、前記リサイクル処理で処理される被処理ソーラーパネルに関する運搬費用を含む、
請求項５に記載の情報処理方法。
【請求項７】
前記少なくとも１つのコンピュータが、
前記リサイクル処理の分別解体処理により生じ得る有価物の売却処理予定日を算出すること
を更に実行し、
前記売却処理予定日を算出することは、取得した前記相場関連情報が前記有価物の取引価格が上がる方向に変動しているとき前記有価物の保管場所の空き情報に基づいて実行される、
請求項５又は６に記載の情報処理方法。
【請求項８】
前記少なくとも１つのコンピュータが、
取得した前記相場関連情報及び、前記リサイクル処理の分別解体処理により生じ得る有価物の保管場所の空き情報のうちの少なくともいずれか一方に基づいて、予め登録している複数の処理業者の中から、前記リサイクル処理の前記分別解体処理を行う業者を選定すること
を更に実行する、
請求項５から７のいずれか一項に記載の情報処理方法。
【請求項９】
請求項５から８に記載の情報処理方法を少なくとも１つのコンピュータに実行させるプログラム。
【発明の詳細な説明】
【技術分野】
【０００１】
本開示は、ソーラーパネルのリサイクル処理における情報処理装置、情報処理方法及びプログラムに関する。
【背景技術】
【０００２】
近年、使用されているソーラーパネルの将来の寿命を見据えて、そのリサイクル技術の開発が行われている。ソーラーパネルのリサイクル処理では、使用済みのソーラーパネルの構成材（例えばガラス基板、封止剤、太陽電池セル、配線材、バックシート等）の一部又は全部を再利用するために、各材料を互いに分離する必要がある。例えば、特許文献１は、ガラス基板から、太陽電池セルを含む他の材料を分離するために用いるリサイクル装置を開示する。
【先行技術文献】
【特許文献】
【０００３】
【特許文献１】特許第６２７１６８６号公報
【発明の概要】
【発明が解決しようとする課題】
【０００４】
ソーラーパネルのリサイクル処理を促進させるためには、ソーラーパネルの使用者と、リサイクル処理に関わる業者との双方がコスト面で納得し得るシステム等の構築が望まれる。本開示の目的は、ソーラーパネルのリサイクル処理における費用設定をより好適に行うことを可能にする構成を提供することにある。
【課題を解決するための手段】
【０００５】
本開示の第１の態様は、
ソーラーパネルのリサイクル処理により生じ得る有価物の相場関連情報を取得することと、
前記リサイクル処理の受付情報を取得することと、
取得した前記相場関連情報と、取得した前記受付情報とに基づいて、前記リサイクル処理の費用を見積もることと
を実行する制御部を備える、情報処理装置
を提供する。
【０００６】
好ましくは、見積もられる前記リサイクル処理の費用は、前記リサイクル処理で処理される被処理ソーラーパネルに関する運搬費用を含む。
【０００７】
好ましくは、前記制御部は、前記リサイクル処理の分別解体処理により生じ得る有価物の売却処理予定日を算出することを更に実行する。前記売却処理予定日を算出することは、取得した前記相場関連情報が前記有価物の取引価格が上がる方向に変動しているとき前記有価物の保管場所の空き情報に基づいて実行されるとよい。
【０００８】
好ましくは、前記制御部は、取得した前記相場関連情報及び、前記リサイクル処理の分別解体処理により生じ得る有価物の保管場所の空き情報のうちの少なくともいずれか一方に基づいて、予め登録している複数の処理業者の中から、前記リサイクル処理の前記分別解体処理を行う業者を選定することを更に実行する。
【０００９】
好ましくは、前記リサイクル処理の費用を見積もることは、前記有価物の取引価格が下がる方向に前記有価物の相場関連情報が変動しているとき、前記有価物の相場関連情報に基づいて所定期間経過後の前記有価物の売却予想価格を算出することを含む。
【００１０】
本開示の第２の態様は、
少なくとも１つのコンピュータが、
ソーラーパネルのリサイクル処理により生じ得る有価物の相場関連情報を取得することと、
前記リサイクル処理の受付情報を取得することと、
取得した前記相場関連情報と、取得した前記受付情報とに基づいて、前記リサイクル処理の費用を見積もることと
を実行する、情報処理方法
を提供する。
【００１１】
第２の態様において、好ましくは、見積もられる前記リサイクル処理の費用は、前記リサイクル処理で処理される被処理ソーラーパネルに関する運搬費用を含む。
【００１２】
好ましくは、前記少なくとも１つのコンピュータが、前記リサイクル処理の分別解体処理により生じ得る有価物の売却処理予定日を算出することを更に実行する。前記売却処理予定日を算出することは、取得した前記相場関連情報が前記有価物の取引価格が上がる方向に変動しているとき前記有価物の保管場所の空き情報に基づいて実行されるとよい。
【００１３】
好ましくは、前記少なくとも１つのコンピュータが、取得した前記相場関連情報及び、前記リサイクル処理の分別解体処理により生じ得る有価物の保管場所の空き情報のうちの少なくともいずれか一方に基づいて、予め登録している複数の処理業者の中から、前記リサイクル処理の前記分別解体処理を行う業者を選定することを更に実行するとよい。
【００１４】
好ましくは、前記リサイクル処理の費用を見積もることは、前記有価物の取引価格が下がる方向に前記有価物の相場関連情報が変動しているとき、前記有価物の相場関連情報に基づいて所定期間経過後の前記有価物の売却予想価格を算出することを含む。
【００１５】
本開示の第３の態様は、前述の第２の態様の方法を少なくとも１つのコンピュータに実行させるプログラムを提供する。
【発明の効果】
【００１６】
本開示の上記態様によれば、上記構成を備えるので、ソーラーパネルのリサイクル処理における費用設定をより好適に行うことが可能になる。
【図面の簡単な説明】
【００１７】
【図１】図１は、一実施形態に係るシステムの構成を示す概略図である。
【図２】図２は、図１のシステムにおけるサーバ装置の概略構成図であり、特にその制御構成を示すブロック図である。
【図３】図３は、有価物の相場関連情報の変化例を模式的に表すグラフであり、（ａ）は銅に関する上昇傾向のグラフ例であり、（ｂ）は銅に関する下降傾向のグラフ例である。
【図４】図４は、ソーラーパネルのリサイクル処理の申込画面例である。
【図５】図２のサーバ装置の制御のフローチャートである。
【図６】図２のサーバ装置の制御の別のフローチャートである。
【発明を実施するための形態】
【００１８】
以下、本開示に係る実施形態を添付図に基づいて説明する。同一の部品（又は構成）には同一の符号を付してあり、それらの名称及び機能も同じである。したがって、それらについての詳細な説明は繰返さない。
【００１９】
図１は、一実施形態に係る、サーバ装置１０を含むソーラーパネルのリサイクル処理の管理システムＳの構成を示す図である。システムＳは、ソーラーパネルのリサイクル処理を受け付け、その処理業者に処理業務を分配し、それにより生じ得る有価物をより高値で売却することで、リサイクル処理の依頼側と、処理実行側とに有利な事実をもたらすことを目指している。
【００２０】
サーバ装置１０は、情報処理装置つまりコンピュータである。サーバ装置１０は、制御部２０を含む（図２参照）。サーバ装置１０は、ネットワークＮを介して、種々の装置３０、４０、５０、６０、７０、８０と通信可能である。図１では、ネットワークＮはネットワークＮ１とネットワークＮ２とを含むが、それらは同じネットワークであってもよく、異なるネットワークであってもよい。本開示はネットワークの数及び種類を限定しない。
【００２１】
システムＳでは、サーバ装置１０は、ネットワークＮ１を介して、ソーラーパネルのリサイクル処理の分別解体処理業者（分別解体処理を行う業者）Ｇ１の端末３０（３１、３２、３３、３４、・・・）、そのリサイクル処理で生じた太陽電池セルの処理業者（以下、セル処理業者）Ｇ２の端末４０（４１、４２、・・・）、金属等の買取業者Ｇ３の端末５０（５１、・・・）、リサイクル・処分業者Ｇ４の端末６０（６１、６２、６３、６４、・・・）、及び、保険会社Ｇ５の端末７０（７１、・・・）の各々と通信可能である。
【００２２】
システムＳでは、ソーラーパネルのリサイクル処理の分別解体処理業者Ｇ１、太陽電池セルのセル処理業者Ｇ２、買取業者Ｇ３、リサイクル・処分業者Ｇ４及び保険会社Ｇ５の各々の各会社は、会員登録されている。会員登録のデータには、サーバ装置１０はアクセス可能である。会員登録のデータは、ここでは、サーバ装置１０の記憶部２２（図２参照）に記憶されているが、他の記憶装置に記憶されてもよく、例えばネットワークＮを介してアクセス可能な別の装置等に記憶されてもよい。
【００２３】
ソーラーパネルのリサイクル処理の分別解体処理業者Ｇ１は、１社のみであってもよいが、複数であるとよく、ここでは、一例として４社を含むので、各会社の端末３１、３２、３３、３４が図１に示されている。セル処理業者Ｇ２も、１社のみであってもよいが、複数であり得、ここでは、一例として２社を含むので、各会社の端末４１、４２が図示されている。買取業者Ｇ３も、１社でも複数でも、幾つであってもよいが、ここでは、一例として１社のみであるので、その会社の端末５１が図示されている。リサイクル・処分業者Ｇ４は、１社のみであってもよいが、複数であるとよく、ここでは、一例として４社を含むので、各会社の端末６１、６２、６３、６４が図１に示されている。保険会社Ｇ５も、１社でも複数でも、幾つであってもよいが、ここでは、一例として１社のみであるので、その会社の端末７１が図示されている。
【００２４】
ソーラーパネルのリサイクル処理の分別解体処理業者Ｇ１は、リサイクル処理に向けて廃棄依頼を受け付けたソーラーパネル（被処理ソーラーパネル）を機械的に解体して分別する。この分別解体処理は、ソーラーパネルの設置場所及び／又は処理工場での、コンクリート基台、金属製支持台を含めたソーラーパネル及びその関連設備等の解体処理を含む。更に、分別解体処理業者Ｇ１は、その分別解体処理により生じた各種部材を保管場所に運搬したり、セル処理業者Ｇ２、買取業者Ｇ３及び／又はリサイクル・処分業者Ｇ４に届けたりする。なお、分別解体処理業者Ｇ１による処理は、複数の処理に分けられて、複数の業者に担われてもよい。例えば、分別解体処理業者Ｇ１による上記運搬作業は、分別解体処理業者Ｇ１と異なる運搬業者により担われてもよい。
【００２５】
セル処理業者Ｇ２は、分別解体処理業者Ｇ１による処理により生じた太陽電池セルを更に解体するとともに、溶着等されている各種成分を、例えば銀を抽出することも行う。なお、セル処理業者Ｇ２の処理も、更に細かく分けられても、或いは他の業者の処理業務の一部又は全部と統合されてもよい。
【００２６】
買取業者Ｇ３は、分別解体処理業者Ｇ１による処理により生じた金属有価物、セル処理業者Ｇ２による処理により生じた金属有価物などを買い取る。買取業者Ｇ３は、ガラス、コンクリートなどを買い取る業者を含んでもよい。買取業者Ｇ３の一部又は全部の業務も、他の業者Ｇ１、Ｇ２のいずれか又は複数に担われてもよい。
【００２７】
リサイクル・処分業者Ｇ４のうちのリユース・リサイクル業者は、分別解体処理業者Ｇ１による処理により生じたアルミフレーム、コンクリート砕石など、リユース又はリサイクル可能な構成材を引き受ける。また、そのうちの処分業者は、最終処分するものを引き受ける。図１では、分別解体処理業者Ｇ１からリサイクル・処分業者Ｇ４への構成材等の運搬を矢印Ａ１で示し、セル処理業者Ｇ２からリサイクル・処分業者Ｇ４への構成材等の運搬を矢印Ａ２で示す。なお、リサイクル・処分業者Ｇ４は構成材等の買取を行ってもよいし、行わなくてもよい。
【００２８】
保険会社Ｇ５は、種々の保険を引き受けることができる。例えば、保険会社Ｇ５は、保管場所等に保管されている有価物の盗難に対する保険を引き受けることができる。この保険の契約は、依頼業者Ｃの要望に応じて、契約されるとよい。
【００２９】
本明細書及び添付の図１では、各業者の業務を簡単に分け、業者Ｇ１、Ｇ２、Ｇ３、Ｇ４、Ｇ５をあらわしているに過ぎず、業者の業務内容及び規模などは任意であることに留意されるべきである。
【００３０】
また、システムＳでは、サーバ装置１０は、ネットワークＮ２を介して、ソーラーパネルの廃棄つまりリサイクル処理の依頼業者（自然人たる依頼者を含む。）Ｃの端末８０（８１、８２、８３、８４、・・・）の各々と通信可能である。図１では、依頼業者Ｃとして４社を例示するので、各会社の端末８１、８２、８３、８４が図示されている。しかし、これは、依頼業者の数を限定するものではない。なお、依頼業者も、予め会員登録しているとよい。
【００３１】
ここで、サーバ装置１０について図２に基づいて更に説明する。サーバ装置１０は、上記のように、制御部２０を備える。制御部２０は、ソーラーパネルのリサイクル処理の費用見積り等の各種処理を実行する。
【００３２】
制御部２０は、サーバ装置１０の作動などを制御する制御手段の一例である。制御部２０は、ＣＰＵと、主記憶部とを有し、プログラムにより情報処理を実行する。ＣＰＵはプロセッサともいう。ただし、ＣＰＵは、単一のプロセッサに限定される訳ではなく、マルチプロセッサ構成であってもよい。また、単一のソケットで接続される単一のＣＰＵがマルチコア構成を有していてもよい。上記各部の少なくとも一部の処理は、ＣＰＵ以外のプロセッサ、例えば、Digital Signal Processor(ＤＳＰ)、Graphics Processing Unit（ＧＰＵ）等の専用プロセッサで行われてもよい。また、上記各部の少なくとも一部の処理は、集積回路（ＩＣ）、その他のディジタル回路であってもよい。また、上記各部の少なくとも一部にアナログ回路が含まれてもよい。制御部２０の主記憶部は主記憶装置の一例である。制御部２０におけるＣＰＵは、その主記憶部に実行可能に展開されたコンピュータプログラムを実行し、各種機能を提供する。制御部２０における主記憶部は、ＣＰＵが実行するコンピュータプログラム及び／又はデータ等を記憶する。制御部２０における主記憶部は、Dynamic Random Access Memory（ＤＲＡＭ）、Static Random Access Memory（ＳＲＡＭ）、Read Only Memory（ＲＯＭ）等である。
【００３３】
制御部２０は、記憶部２２と接続されている。記憶部２２は、所謂外部記憶部であり、制御部２０の主記憶部を補助する記憶領域として使用され、制御部２０のＣＰＵが実行するコンピュータプログラム及び／又はデータ等を記憶する。記憶部２２は、ハードディスクドライブ、Solid State drive（ＳＳＤ）等である。なお、記憶部２２に、分別解体処理業者Ｇ１、処理業者Ｇ２、買取業者Ｇ３、リサイクル・処分業者Ｇ４及び保険会社Ｇ５の各々の各会社の会員登録データ及び、業務予定などの業務データなどが記憶され得る。例えば、ソーラーパネル及び／又は太陽電池セルの保管場所の空き状況の情報／データは、サーバ装置１０と端末３０、４０、５０、６０、７０との通信で取得されて、記憶部２２に記憶されるとよい。
【００３４】
サーバ装置１０は、更に、通信部２４を備えている。通信部２４を介して、装置１０は、インターネット等のネットワークＮに接続し、外部の装置と、例えば端末３０、４０、５０、６０、７０、８０の各々と通信可能である。
【００３５】
なお、図１に基づいて説明した上記端末３０、４０、５０、６０、７０、８０の各々も、サーバ装置１０と同様にコンピュータである。したがって、端末３０、４０、５０、６０、７０、８０の各々も、制御部、記憶部及び通信部を備える。端末３０、４０、５０、６０、７０、８０の各々の制御部、記憶部及び通信部も、サーバ装置１０の制御部２０、記憶部２２及び通信部２４のそれぞれと同様のハードウェア構成を有する。
【００３６】
図２に戻り説明を続ける。サーバ装置１０の制御部２０は、受付部２０１、処理実行部２０２及び管理部２０３の各機能モジュールを含む。受付部２０１は、相場情報取得部２０１１、受付情報取得部２０１２、有価物価格見積部２０１３、運搬費用見積部２０１４、リサイクル費用見積部２０１５及び依頼受付部２０１６の各機能モジュールを含む。処理実行部２０２は、業者情報取得部２０２１、売却処理日算出部２０２２及び業者選定指示部２０２３の各機能モジュールを含む。管理部２０３は、経過管理部２０３１、金銭管理部２０３２及び分配処理部２０３３の各機能モジュールを含む。各機能モジュールは、例えば、主記憶部及び／又は記憶部２２に記憶されたプログラムを、制御部２０つまりそのうちのＣＰＵによって実行することで実現される。ただし、機能モジュールの一部は、他のプロセッサ、ディジタル回路、またはアナログ回路等のハードウェアであってもよい。各機能モジュールは、部、機能部又は手段と言い換えることができる。
【００３７】
受付部２０１は、依頼業者Ｃの端末８０から廃棄の依頼つまりリサイクル処理の依頼の受付情報つまり申し込み情報を取得し、その費用を見積り、依頼業者Ｃからの正式な依頼を受け付ける。受付部２０１における相場情報取得部２０１１、受付情報取得部２０１２、有価物価格見積部２０１３、運搬費用見積部２０１４、リサイクル費用見積部２０１５及び依頼受付部２０１６の各機能について、以下説明する。
【００３８】
相場情報取得部２０１１は、ソーラーパネルのリサイクル処理により生じ得る有価物の相場関連情報を取得する。ソーラーパネルのリサイクル処理では、例えば、銅、アルミニウム、銀、鉄、ガラス、コンクリート廃材などの廃棄物つまりスクラップが生じる。特に銅、アルミニウム、銀、鉄といった金属有価物、及び、割れていないガラスは、買取業者Ｇ３により買取され得る。一般に、銅は配線材の主材料であり、アルミニウムはソーラーパネルのフレーム材に用いられ、銀は封止材に用いられ、鉄はソーラーパネルの土台に用いられている。これらの有価物は、金属等の買取業者Ｇ３に売却することができる。しかし、特に、銅、アルミニウム、銀及び鉄の価格は、様々な要因により変動する。例えば、銅、アルミニウム及び銀は、それぞれ、国際的な取引所が公開する取引価格を元に決定される。例えば、銅、具体的には銅スクラップの価格に影響する銅建値は、相場により変動し、ロンドン金属取引所が公開する取引価格を指標に、国内円相場などとの関係も考慮して、国内産銅メーカーによって決定される。相場情報取得部２０１１は、銅などの有価物の相場関連情報として、その銅建値等の影響を受けるその有価物の取引価格を、例えば銅スクラップの取引価格つまり買取価格を取得する。なお、相場関連情報として、そのようなロンドン金属取引所が公開する取引価格及び／又は国内での銅建値を取得することを排除するものではない。ここでは、例えば銅の相場関連情報としては、相場情報取得部２０１１は、国内での買取業者Ｇ３における取引価格つまり買取価格を取得することを行う。この相場情報取得部２０１１による取得は、サーバ装置１０がネットワークＮを介して種々のコンピュータ又は情報源に、例えば端末５０（ここでは具体的には端末５１）にアクセスしたり、サーバ装置１０の操作者が種々取得した相場関連情報をサーバ装置１０の入力装置（例えばキーボード、マウス）を用いて入力したりすることで、成し遂げられ得る。そして、相場情報取得部２０１１は、取得した有価物の相場関連情報を記憶部２２の相場情報領域２２１に記憶させる。
【００３９】
なお、以下では、説明を簡略化するため、有価物として銅つまり銅スクラップを代表に、価格見積り、売却処理予定日算出などを含めて、サーバ装置１０での情報処理等について説明する。しかし、実際には、銅のみならず他の有価物についても考慮してそれらの見積もりや予定日算出などが行われることに留意されるべきである。
【００４０】
ここで、図３に、銅の相場情報としての買取業者Ｇ３での銅の取引価格の変動例を概念的に示す。図３（ａ）は、銅スクラップ（円／トン）の取引価格が日にちの経過ととともに増加傾向にある場合の一例を示す。図３（ｂ）は、銅スクラップ（円／トン）の取引価格が日にちの経過ととともに減少傾向にある場合の一例を示す。なお、他の有価物、例えばアルミニウム及び銀の各々のスクラップにおいても、同様である。
【００４１】
受付情報取得部２０１２は、ソーラーパネルのリサイクル処理の依頼の受付情報を取得する。受付情報取得部２０１２は、取得した受付情報を記憶部２２の受付情報領域２２２に記憶させる。受付情報取得部２０１２は、サーバ装置１０の操作者によりその入力装置（例えばキーボード、マウス）から入力された受付情報を取得してもよいし、ソーラーパネルの廃棄の依頼業者Ｃの端末８０を介して入力されて提供された受付情報を取得してもよい。ここでは、端末８０を介しての受付情報の取得を図４に基づいて説明する。
【００４２】
図４に、依頼業者Ｃの端末８０に表示されるソーラーパネルのリサイクル処理依頼の画面Ｄの一例を示す。図４の画面Ｄは、依頼業者を特定するための氏名又は会社名の入力欄Ｄ１と、住所及び電話番号の入力欄Ｄ２と、リサイクル処理予定のソーラーパネルの情報入力欄Ｄ３と、相場関連情報の活用の有無の入力欄Ｄ４と、送信ボタンＤ５とを備える。ソーラーパネルの情報入力欄Ｄ３には、被処理ソーラーパネルの量に対応する情報として、ソーラーパネルの設置場所の面積（設置面積）、枚数などの情報が入力される。情報入力欄Ｄ３には、ソーラーパネルの設置場所又は保管場所についてのその他の情報、例えば傾斜地であるなどの情報が入力されてもよい。なお、それらの入力欄は別々に構成されてもよい。例えば依頼業者Ｃのうちの、端末８１の依頼業者は、その端末８１を介して、画面Ｄから受付情報を入力して、サーバ装置１０に送信することができる。なお、端末８１は、画面Ｄなどの画面を表示させるプログラムがインストールされてもよく、又は、ウェブブラウザを介して画面Ｄを表示させてもよい。
【００４３】
図４の画面Ｄの相場関連情報の活用の有無の入力欄Ｄ４では、「あり」欄、又は、「なし」欄への入力チェックが可能である。相場関連情報の活用の有無の入力欄Ｄ４で、「なし」欄に入力チェックがなされたとき、サーバ装置１０の制御部２０は相場関連情報の活用を最小限にして処理を進める。一方、相場関連情報の活用の有無の入力欄Ｄ４で「あり」欄に入力チェックがなされたとき、サーバ装置１０の制御部２０は相場関連情報の活用を以下に説明するように行って処理を進める。
【００４４】
有価物価格見積部２０１３は、相場情報取得部２０１１が取得した有価物の相場関連情報と、受付情報取得部２０１２が取得した受付情報とに基づいて、ソーラーパネルのリサイクル処理により生じ得る有価物の売却予想価格を見積もる。例えば、有価物価格見積部２０１３は、記憶部２２に記憶されている相場情報取得部２０１１が取得した銅スクラップの取引価格のデータを読み出すとともに、被処理ソーラーパネルの枚数等に基づいてリサイクル処理の分別解体処理により生じ得る銅スクラップの量を見積る。有価物価格見積部２０１３は、それらを考慮して、所定の演算をすることで、銅スクラップの売却予想価格を算出する。このために、制御部２０の有価物価格見積部２０１３は、記憶部２２に記憶されているソーラーパネルに含まれる有価物のデータを、例えば、１枚のソーラーパネルから生じ得る銅スクラップの量を読み出す。有価物価格見積部２０１３は、他の有価物、アルミニウム、銀、鉄などについても同様の演算を行う。なお、ソーラーパネルの製造会社、型式等に固有の有価物の量についてのデータを予め記憶しておき、有価物価格見積部２０１３がこれを用いるときには、図４の画面Ｄでそれら製造会社、型式等についての情報も入力させるとよい。
【００４５】
有価物価格見積部２０１３は、有価物の取引価格に影響するその相場関連情報が特段変動していないとき、及び、有価物の取引価格が上がる方向にその有価物の相場関連情報が変動しているとき、リサイクル処理の受付日又は見積日といった受付処理の所定の時期における有価物の取引価格に基づいて有価物の売却予想価格を算出することを実行することができる。また、有価物価格見積部２０１３は、有価物の取引価格が下がる方向にその有価物の相場関連情報が変動しているとき、有価物の相場関連情報に基づいて所定の時期から所定期間経過後の有価物の取引予想価格を算出し、該取引予想価格に基づいて有価物の売却予想価格を算出することを実行することができる。
【００４６】
例えば、図３Ａに示すように、銅スクラップの取引価格つまり買取価格が日にちの経過ととともに増加傾向にある場合について考える。この場合、有価物価格見積部２０１３は、受付情報取得部２０１２の例えば受付日における銅スクラップの取引価格を採用して、その銅スクラップの取引価格で銅を売却する場合の銅の売却予想価格を算出する。これは、銅の相場関連情報が上がる場合、その受付日の価格で見積もりを出すことで、依頼業者ＣもシステムＳに関わる業者Ｇ１、Ｇ２、Ｇ３も概して損を被る可能性が低いからである。一方、例えば、図３Ｂに示すように、銅スクラップの取引価格が日にちの経過ととともに減少傾向にある場合について考える。この場合、有価物価格見積部２０１３は、所定の時期から所定期間（第１所定期間）経過後の銅スクラップの取引予想価格つまり買取予想価格を予測する。そして、この予測した取引予想価格に基づいて銅スクラップの売却予想価格を算出する。この場合の銅の取引予想価格は、図３Ｂに示すようにそのまま減少傾向が第１所定期間経過後の日まで続いた場合のその日での価格と定義できる。例えば、図３Ｂのデータがそのときの相場関連情報であるとき、図３Ｂのデータに対して最小二乗法など種々の演算式又はモデルを用いて、第１所定期間経過後の銅スクラップの取引予想価格を予測することができる。これにより、銅スクラップの取引予想価格（円／トン）をより低く設定し、銅スクラップの売却予想価格（円）を算出することができる。したがって、仮に売却日での銅の現実の取引価格がその取引予想価格よりも高い場合には、銅の売却により利益をもたらし、それを業者Ｇ１、Ｇ２、Ｇ３、Ｇ４及び／又はＧ５、及び／又は、依頼業者Ｃに好適に還元することができる。なお、第１所定期間は、固定値であっても変動値であってもよく、例えば被処理ソーラーパネルの量などに応じて、所定のプログラムに従って算出されてもよい。
【００４７】
運搬費用見積部２０１４は、ソーラーパネルのリサイクル処理で処理される被処理ソーラーパネルに関する運搬費用を見積もる。例えば、被処理ソーラーパネルの設置場所又は保管場所から処理業者Ｇ１、Ｇ２又はＧ３までの距離が近い場合と、遠い場合とで、ソーラーパネルの運搬費用は異なる。そこで、受付情報取得部２０１２が取得した受付情報に基づいて、運搬費用見積部２０１４は、運搬費用を見積もる。この見積りには、被処理ソーラーパネルの量、例えば枚数も関係する。例えば、被処理ソーラーパネルの量が多く大型車一台の積載量に相当するとき、大型車で一気に運搬できるので、運搬費用を相対的に低く見積もることができる。一方、被処理ソーラーパネルが数枚程度しかなく、また、大型車しか空きがないとき、その運搬費用は相対的に高くなる傾向にある。運搬費用見積部２０１４は、このために、依頼業者Ｃの住所情報のみならず、業者Ｇ１等が保有する運搬車の空き情報を、端末３０、８０等との通信で取得して用いる。なお、運搬費用見積部２０１４又は後述する業者情報取得部２０２１は、業者Ｇ１の端末３０と定期的に通信し、業者Ｇ１の運搬車の空き情報を取得して、記憶部２２に記憶させるとよい。この場合、運搬費用見積部２０１４は、記憶部２２から業者Ｇ１の運搬車の空き情報を読み出してつまり取得して、その空き情報を運搬費用の見積もりに用いる。なお、運搬費用には、アルミフレーム、コンクリート砕石など、リユース又はリサイクル可能な構成材及び／又は最終処分するものの運搬費用も含むとよい。
【００４８】
リサイクル費用見積部２０１５は、ソーラーパネルのリサイクル処理に必要な費用を見積もる。具体的には、リサイクル費用見積部２０１５は、有価物価格見積部２０１３が見積もった有価物の売却予想価格及び運搬費用見積部２０１４が見積もった被処理ソーラーパネルに関する運搬費用を用いて、所定の演算をすることで、リサイクル処理の費用を見積もる。つまり、見積もられるリサイクル処理の費用は、リサイクル処理で処理される被処理ソーラーパネルに関する運搬費用を含む。そして、見積もった有価物の売却予想価格は、見積もられるリサイクル処理の費用を減じる方向に働く。リサイクル処理の費用は、受付情報取得部２０１２が取得した受付情報のソーラーパネルの設置場所の面積（設置面積）、枚数などの情報に基づいて、見積もられる。例えば、リサイクル処理の費用には、業者Ｇ１による分別解体処理の人件費、重機台などを含むとよい。また、見積もられるリサイクル処理の費用には、保険会社Ｇ５における保険の費用も含まれるとよい。そして、リサイクル費用見積部２０１５は、見積もった費用を依頼業者Ｃの端末８０に、例えば端末８１に送信する。これにより、依頼業者Ｃは、その端末８１を介して、見積り額を見て、正式に依頼するか否かを判断することができる。なお、リサイクル費用見積部２０１５は、図２では有価物価格見積部２０１３及び運搬費用見積部２０１４と並列に表されているが、有価物価格見積部２０１３及び運搬費用見積部２０１４を実質的に含むものである。
【００４９】
依頼受付部２０１６は、依頼業者Ｃの端末８０から正式な依頼を受け付けて、その受け付けたリサイクル処理を進めることを実行する。依頼業者Ｃは端末８０から見積額を承知して正式な依頼入力をすると、その正式な依頼はサーバ装置１０の制御部２０の受付部２０１における依頼受付部２０１６により取得される。これにより、依頼受付部２０１６は、受け付けた正式依頼の内容を受付情報領域２２２の記憶データとともに、記憶部２２の管理情報領域２２３に記憶させる。そして、リサイクル処理を行うために、処理実行部２０２に作動信号を送信する。なお、依頼業者Ｃによる端末８０からの正式な依頼入力に際しては、保険会社Ｇ５における保険の適用の有無についての回答も含まれるとよい。なお、この保険の適用の有無の回答は、この依頼時のみに限らず、例えば、後述する売却処理予定日の採用の判定（図６のステップＳ６１１）の際に入力されてもよい。
【００５０】
なお、リサイクル費用見積部２０１５が見積もったリサイクル処理の費用の依頼業者Ｃへの送付及び依頼業者Ｃからの正式な依頼の申し込みは、実質的にサーバ装置１０を介さずに行われてもよい。この場合、見積もったリサイクル処理の費用のサーバ装置１０からの出力、依頼業者Ｃからの正式な依頼のサーバ装置１０への入力は、サーバ装置１０の操作者により行われ得る。
【００５１】
次に処理実行部２０２による処理について説明する。処理実行部２０２は、正式な依頼を受け付けたソーラーパネルのリサイクル処理に関して、業者Ｇ１、Ｇ２、Ｇ３、Ｇ４、Ｇ５の各処理を、特に業者Ｇ１、Ｇ２での各処理をより制御する。例えば、処理実行部２０２は、相場関連情報及び、リサイクル処理の分別解体処理により生じ得る有価物の保管場所の空き情報のうちの少なくともいずれか一方に基づいて、予め登録している複数の処理業者の中から、特に業者Ｇ１の中から、リサイクル処理の分別解体処理を行う業者を選定することを行う。処理実行部２０２は、業者情報取得部２０２１、売却処理日算出部２０２２及び業者選定指示部２０２３の各機能モジュールを含む。
【００５２】
業者情報取得部２０２１は、分別解体処理業者Ｇ１、処理業者Ｇ２、買取業者Ｇ３、リサイクル・処分業者Ｇ４及び／又は保険会社Ｇ５の各々の例えば業務予定、処理スケジュールなどの業者情報を取得する。例えば、ソーラーパネル及び／又は太陽電池セルの保管場所の空き状況の情報／データが、サーバ装置１０と端末３０、４０、５０、６０との通信で取得されて、記憶部２２に記憶されるとよい。特に、業者情報取得部２０２１は、ソーラーパネルのリサイクル処理の分別解体処理により生じた及び生じ得る有価物の保管場所の空き状況を取得する。業者情報取得部２０２１は、分別解体処理業者Ｇ１の端末３０から提供される有価物の保管場所の空き状況の情報を取得して、記憶部２２の管理情報領域２２３に記憶させる。なお、有価物の保管場所の空き状況の情報は、分別解体処理業者Ｇ１から取得した当該情報をサーバ装置１０の操作者がその入力装置を介して入力することで、業者情報取得部２０２１により取得されてもよい。なお、有価物の保管場所は、ここでは業者Ｇ１ごとにあるが、これに限定されず、例えば複数の業者Ｇ１等に共通の保管場所であってもよい。
【００５３】
売却処理日算出部２０２２は、リサイクル処理の分別解体処理により生じ得る有価物の売却処理予定日を算出することを実行する。分別解体処理は上記業者Ｇ１により実行される。売却処理日算出部２０２２は、有価物の取引価格が上がる方向に有価物の相場関連情報が変動しているとき有価物の保管場所の空き情報に基づいて有価物の売却処理予定日を算出する。また、売却処理日算出部２０２２は、有価物の取引価格に影響するその相場関連情報が特段変動していないとき、及び、有価物の取引価格が下がる方向に有価物の相場関連情報が変動しているとき有価物の保管場所の空き情報に関わらず有価物の売却処理予定日を算出してもよいが、ここでは、特に算出されない。
【００５４】
例えば、分別解体処理により配線材つまり銅スクラップが生じたとき、この銅スクラップをより高くに売るように、その銅スクラップの売却処理予定日が算出される。具体的には、銅スクラップの取引価格が上がる方向に銅スクラップの相場関連情報が変動しているとき銅スクラップの保管場所の空き情報に基づいて銅スクラップの売却処理予定日を算出する。図３Ａに示すように銅スクラップの相場関連情報が変動しているとき、取得した銅スクラップの保管場所の空き情報を読み込む。そして、銅スクラップの保管場所に空きがあるとき、売却処理日算出部２０２２は、所定の演算を行うことで、所定期間（第２所定期間）後の日を有価物、例えば銅スクラップの売却処理予定日として算出する。ただし、売却処理予定日の算出においては、銅以外の有価物、例えばアルミニウム、銀、鉄などの相場関連情報も考慮され得、有価物ごとに、又は、有価物をまとめて売却処理予定日を算出してもよい。なお、第２所定期間は、予め定められているとよいが、可変とされてもよく、例えば相場関連情報の変化に基づいて可変とされ得る。第２所定期間は、例えば、３０日のように日単位の期間でも、１か月、２か月などの月単位の期間でも、週単位の期間でもよい。これは、上記第１所定期間でも同様である。また、第２所定期間は、第１所定期間と同じであっても、異なってもよい。第２所定期間の開始時期としての所定の時期は、例えば、所定日（第２の所定日）であり得、リサイクル処理の受付日又は見積日といった所定日（第１の所定日）であり得る受付処理の上記所定の時期であっても、売却処理日算出部２０２２の演算のとき又はその日であってもよく、これらに限定されない。
【００５５】
ただし、売却処理日算出部２０２２は、銅スクラップの相場を予測するものではなく、過去のデータから銅スクラップの取引価格が上がる方向のとき、第２所定期間後においても銅スクラップの取引価格が上昇傾向にあるだろうとの見解を単に採用するに過ぎない。したがって、第２所定期間後に、銅の取引価格が下がっている可能性も当然にある。よって、売却処理日算出部２０２２が算出した売却処理予定日を採用するか否か、売却処理予定日をいつにするかなど、については、原則、依頼業者Ｃ次第である。なお、売却処理予定日は、保管場所の使用費用と、有価物、例えば銅スクラップの売却益とのバランスを考慮し、決定されるとよい。したがって、有価物の量に応じて、例えば有価物の量が閾値を超えるとき、保管場所の費用よりも有価物の売却益のリサイクル費用への影響が強くなるので、積極的に売却処理予定日を提示してもよい。
【００５６】
一方で、売却処理日算出部２０２２は、銅スクラップの取引価格が下がる方向に銅スクラップの相場関連情報が変動しているとき、分別解体処理により生じる銅スクラップをより早くに売却処理するように、銅の保管場所の空き情報に関わらず銅スクラップの売却処理予定日を算出してもよい。このとき、売却処理日算出部２０２２は、業者Ｇ１の空き状況などの情報をもとに、より直近の日に分別解体処理を実行し、それにより生じた銅スクラップを直ちに売却処理するように売却処理予定日を算出するとよい。
【００５７】
業者選定指示部２０２３は、正式依頼のソーラーパネルのリサイクル処理を行う業者を、業者Ｇ１、Ｇ２、Ｇ３、Ｇ４、Ｇ５の中から選定する。この選定の処理では、図４の相場関連情報の活用の有無の入力欄Ｄ４で「あり」欄が選択されたとき、業者選定指示部２０２３は、売却処理部算出日２０２２の算出した売却処理予定日に適合した業者（図６のステップＳ６１３の第１業者）を選定する。有価物の取引価格が上がる方向に有価物の相場関連情報が変動しているとき有価物の保管場所の空き情報に基づいて有価物の売却処理予定日が選定される。したがって、この場合には、その売却処理予定日に対応する有価物の保管場所に空きがあった業者が選定される。例えば、業者Ｇ１の中の第２処理業者（端末３２に相当）のみが有価物の売却処理予定日に適合する空き状態の保管場所を有しているとき、その第２処理業者が選定される。一方、図４の相場関連情報の活用の有無の入力欄Ｄ４で「なし」欄が選択されたとき、又は、有価物の取引価格が上がる方向に有価物の相場関連情報が変動していないとき、又は、依頼業者が売却処理予定日を承認しないとき、業者選定指示部２０２３は、業者Ｇ１の空き状況等に基づいて、業者（図６のステップＳ６１５の第２業者）を選定する。この空き状況にある業者の中での選定は、所定の順番、被処理ソーラーパネルの量などに応じて実行されるとよい。同様に、業者選定指示部２０２３は、業者Ｇ２、Ｇ３、Ｇ４、Ｇ５の各々についても、処理の空き状況、所定の順番などに応じて、業者選定が実行されるとよい。これらの業者の選定においては、ソーラーパネルの設置場所又は保管場所、或いは、処理の場所により近い業者が選定されるとよい。距離が離れれば離れるほど、運搬費用が高くなるからである。
【００５８】
そして、業者選定指示部２０２３は、選定した業者の端末３０、４０、５０、６０、７０に、リサイクル処理を行うように指示を送信する。これにより、選定した業者には、リサイクル処理の依頼内容が送信され、ソーラーパネル処理が実行可能になる。なお、選定された業者には、特に、業者Ｇ１の業者には、依頼業者Ｃの情報が提供されるので、依頼業者Ｃに連絡を取り、その後の作業が進められ得る。
【００５９】
次に管理部２０３による処理について説明する。管理部２０３は、正式な依頼を受け付けたソーラーパネルのリサイクル処理に関して、各処理の進捗及び金銭の流れを管理する。管理部２０３は、経過管理部２０３１、金銭管理部２０３２及び分配処理部２０３３の各機能モジュールを含む。
【００６０】
経過管理部２０３１は、各業者Ｇ１、Ｇ２、Ｇ３、Ｇ４、Ｇ５が実行した各種処理の経過情報を各種端末等から取得して、記憶部２２の管理情報領域２２３に記憶させる。これにより、システムＳの管理者等は、リサイクル処理の進捗状況を必要なときに知ることができる。
【００６１】
金銭管理部２０３２は、有価物を業者Ｇ３に売却したことに伴い獲得した代金等を管理する。これにより、有価物の売却処理が適切に実行されたのか否かも、システムＳの管理者等は適切に把握し、それを管理することができる。なお、金銭管理部２０３２は、依頼業者Ｃから取得したリサイクル処理費用も管理する。また、金銭管理部２０３２は、保険会社Ｇ５に支払われる及び／又はそこから支払われた保険金なども管理することができる。
【００６２】
分配処理部２０３３は、金銭管理部２０３２が管理する代金等を、所定のプログラムに従って、システムＳに関係する業者Ｇ１、Ｇ２、Ｇ３、Ｇ４、Ｇ５に分配処理する。これにより、上記のように相場関連情報を考慮して売却処理した有価物の代金を含む金銭を、より好適に業者に分配することができる。また、分配処理部２０３３は、依頼業者Ｃに対するリサイクル処理における請求金額も決定する。この請求金額には、リサイクル処理による業者Ｇ３への有価物の売却代金が反映される。有価物がより高く売れたとき、請求金額は下がる傾向にあるとよい。一方で、有価物がより高く売れたとき、業者Ｇ１、Ｇ２、Ｇ４への分配も高くなる傾向にあるとよい。これらの関係を満足するように、上記所定のプログラムは構築され得る。
【００６３】
ここで、サーバ装置１０の制御部２０による上記処理を図５及び図６のフローチャートに基づいて更に説明する。図５は、受付部２０１により実行される処理に関するフローチャートである。図６は、処理実行部２０２により実行される処理に関するフローチャートである。まず、受付部２０１により実行される処理に関して図５に基づいて説明し、その後に、処理実行部２０２により実行される処理に関して図６に基づいて説明する。なお、以下では、依頼業者Ｃのうちの第１依頼業者の端末８１からサーバ装置１０にソーラーパネルのリサイクル処理の申し込みがあったとして、説明する。
【００６４】
制御部２０は、有価物の相場関連情報を取得する（ステップＳ５０１）。これは、制御部２０の相場情報取得部２０１１により実質的に行われ、継続して実行される（ステップＳ５０３で否定判定）。なお、有価物の相場関連情報の取得の後のステップは、ソーラーパネルのリサイクル処理の受付情報の取得後に実質的に行われる（ステップＳ５０３で肯定判定）。なお、受付情報の取得は、受付情報取得部２０１２により実質的に行われるとよい。
【００６５】
第１業者の端末８１を介して図４に示す項目が入力されて送信されることで、サーバ装置１０の制御部２０の受付情報取得部２０１２は、受付情報を取得する（ステップＳ５０３で肯定判定）。これにより、ソーラーパネルのリサイクル処理により生じ得る有価物の売却予想価格の見積もりが行われる（ステップＳ５０５）。有価物の売却予想価格の見積もりは、有価物価格見積部２０１３により実質的に行われるとよい。以下では、有価物の代表として、銅スクラップを採用し、図５の説明を続ける。これは図６の説明においても同様である。しかし、有価物にはアルミニウム、銀、鉄なども含まれ、それら有価物ごとに又はそれら有価物をまとめて以下の処理が実行され得ることに留意されるべきである。より好ましくは複数の有価物の情報を好適に組み合わせて処理が進められ得る。
【００６６】
まず、受付情報のうちのソーラーパネルの量などに基づいて、生じ得る銅スクラップの量が算出される。そして、ここでは、所定の期日での銅スクラップの取引価格でその銅スクラップを売却したとしたときの売却予想価格が算出される。所定の期日での銅スクラップの取引価格は、相場関連情報のうちの最新の相場関連情報に相当し得る。
【００６７】
ただし、銅スクラップの取引価格が下がる方向に銅スクラップの相場関連情報が変動しているとき、銅スクラップの相場関連情報に基づいて第１所定期間経過後の銅スクラップの取引予想価格を算出し、該取引予想価格に基づいて銅スクラップの売却予想価格が算出される。これにより、依頼業者Ｃにとっては高めの請求金額が見積もられ得るが、最終的に請求される金額との開きを抑制することが可能になる。
【００６８】
そして、リサイクル処理で処理される被処理ソーラーパネルなどの運搬費用が見積もられる（ステップＳ５０７）。この運搬費用の見積もりは、運搬費用見積部２０１４により実質的に行われるとよい。
【００６９】
こうして有価物の売却予想価格が見積もられるとともに、運搬費用が見積もられると、これらを用いてソーラーパネルのリサイクル処理の費用が見積もられる（ステップＳ５０９）。なお、リサイクル費用の見積もりはリサイクル費用見積部２０１５により実質的に行われ得る。
【００７０】
見積もられたリサイクル費用は第１依頼業者Ｃの端末８１に送信される（ステップＳ５０９）。これにより、その端末８１から正式依頼の入力を制御部２０は取得することが可能になる（ステップＳ５１１）。正式依頼の受付処理は、依頼受付部２０１６により実質的に行われる。正式依頼を取得すると（ステップＳ５１１で肯定判定）、リサイクル処理の依頼契約は成立する（ステップＳ５１３）。一方、正式依頼を取得できないとき（ステップＳ５１１で否定判定）、リサイクル処理の依頼契約は不成立となり（ステップＳ５１５）、終了する。
【００７１】
次に、図６に基づいて、処理実行部２０２による処理を説明する。なお、リサイクル処理の依頼契約が成立したとき（ステップＳ５１３）、図６のフローチャートの処理が実質的に開始される。
【００７２】
第１依頼業者からの受付情報で、相場関連情報の活用の入力欄において「あり」欄がチェックされているとき、相場関連情報の活用は「あり」であると判定される（ステップＳ６０１で肯定判定）。このとき、相場関連情報の取得が行われる（ステップＳ６０３）。相場関連情報は、受付部２０１の相場情報取得部２０１１で既に取得されて記憶されているので、ここでは、記憶部２２の相場情報領域２２１から読み込まれる。この相場関連情報の取得は、処理実行部２０２の売却処理日算出部２０２２により実質的に行われるとよい。なお、処理実行部２０２が相場情報取得部２０１１に相当する機能モジュールを有するとき、受付部２０１での処理とは別に、相場関連情報が取得されてもよい。
【００７３】
取得したつまりここでは読み込んだ相場関連情報が取引価格が上がる方向に変動しているのか否かが判定される（ステップＳ６０５）。図３（ａ）に示すように、取引価格が上がる方向に相場関連情報が変動しているとき（ステップＳ６０５で肯定判定）、その相場関連情報を用いた処理が実行される。
【００７４】
リサイクル処理の分別解体処理により生じ得る有価物の保管場所の空き情報が取得される（ステップＳ６０７）。この保管場所の空き情報（図６の保管情報）の取得は、業者情報取得部２０２１により実質的に取得された情報が読み込まれることにより行われ得る。
【００７５】
そして、取得した相場関連情報が有価物の取引価格が上がる方向に変動しているとき、有価物の保管場所の空き情報に基づいて有価物の売却処理予定日が算出される（ステップＳ６０９）。この売却処理予定日の算出は、売却処理日算出部２０２２により実質的に行われ得る。
【００７６】
ステップＳ６０９で算出された売却処理予定日は、依頼業者Ｃのうちの第１依頼業者の端末８１にサーバ装置１０から送信されて、第１依頼業者に提供されて提示される。このとき、算出した売却処理予定日での有価物の売却予想価格と、例えばステップＳ５０５で見積もられた有価物の売却予想価格とが、併せて、第１依頼業者の端末８１に送信されるとよい。これにより、第１依頼業者は、提示された売却処理予定日を採用するか否かなどを、自己の責任のもと決定することができる。
【００７７】
第１依頼業者が、サーバ装置１０から提示された売却処理予定日での有価物の売却処理の予定を承認したとき、その旨の信号を端末８１を介してサーバ装置１０に送信する。これにより、サーバ装置１０は売却処理予定日に関する処理を継続することができる（ステップＳ６１１で肯定判定）。一方、第１依頼業者が、サーバ装置１０から提示された売却処理予定日での有価物の売却処理の予定を承認しないとき、その旨の信号を端末８１を介してサーバ装置１０に送信する。これにより、サーバ装置１０はステップＳ６０９での売却処理予定日に関係なく、リサイクル処理を実行する（ステップＳ６１１で否定判定）。
【００７８】
そして、売却処理予定日に関する処理を継続するとき（ステップＳ６１１で肯定判定）、依頼を受け付けたリサイクル処理について担当する業者（第１業者）が、複数の業者Ｇ１、Ｇ２、Ｇ３、Ｇ４、Ｇ５の中から選定される（ステップＳ６１３）。特に当該リサイクル処理を担当する分別解体処理業者Ｇ１は、取得した相場関連情報（ステップＳ６０３）及び、リサイクル処理の分別解体処理により生じ得る有価物の保管場所の空き情報（ステップＳ６０７）に基づいて、予め登録している複数の業者Ｇ１の中から選定される。この業者の選定は、業者選定指示部２０２３により実質的に行われ得る。なお、業者の選定は、相場関連情報及び有価物の保管場所の空き情報のうちの少なくともいずれか一方に基づいて行われてもよい。
【００７９】
一方、相場関連情報の活用の入力欄において「なし」欄がチェックされたとき（ステップＳ６０１で否定判定）、相場関連情報が上がる方向に変動していないとき（ステップＳ６０５で否定判定）、又は、売却処理予定日に関係なくリサイクル処理を実行するとき（ステップＳ６１１で否定判定）、業者Ｇ１、Ｇ２、Ｇ３、Ｇ４、Ｇ５の中から、例えば処理を行うことができる能力又は所定の順番等の通常処理に従い、処理を行う業者（第２業者）が選定される（ステップＳ６１５）。
【００８０】
そして、選定された業者への指示がその業者の端末に送信される（ステップＳ６１７）。このとき、サーバ装置１００は、第１依頼業者の情報も併せて処理業者に、特に選定された業者Ｇ１に提供するとよい。また、このとき、売却処理予定日を採用する場合には、有価物の売却処理予定日も提供される。これにより、選定された業者Ｇ１等は、リサイクル処理の分別解体処理により生じた有価物をその売却処理予定日に売却することができる。選定した業者への指示は、業者選定指示部２０２３により実質的に行われるとよい。なお、このとき、第１依頼業者にも、選定した業者の情報、処理予定などを送信するとよい。
【００８１】
上記システムＳでのサーバ装置１０での処理によれば、相場関連情報に基づいてリサイクル処理の費用が見積もられる。したがって、依頼業者は、その費用を徒に高く設定されることを防ぐことができる。一方で、相場関連情報に基づいてリサイクル処理の費用が見積もられるので、システムＳに登録する複数の業者は適正な価格でリサイクル処理を受けることが可能になる。このように、サーバ装置１０での処理によれば、ソーラーパネルのリサイクル処理における費用設定をより好適に行うことができる。よって、システムＳは、ソーラーパネルの使用者つまり後の依頼者と、リサイクル処理に関わる業者との双方がコスト面で納得し得るシステムとなり得、ソーラーパネルのリサイクル処理を促進させることができる。
【００８２】
また、有価物の取引価格が下がる方向に有価物の相場関連情報が変動しているとき、有価物の相場関連情報に基づいて第１所定期間経過後の有価物の売却予想価格を算出することが行われて、リサイクル処理の費用が見積もられる。したがって、このように有価物の相場関連情報が変動しているとき、有価物の売却予想価格が見積額を低くする方向に影響することを抑制することができる。その結果、依頼業者Ｃにとっては高めの請求金額が見積もられる可能性があるが、最終的に請求される金額との開きを抑制することが可能になる。
【００８３】
更に、上記実施形態では、リサイクル処理の依頼完了後に、リサイクル処理の分別解体処理により生じ得る有価物の売却処理予定日を算出することが実行される。そして、取得した相場関連情報が有価物の取引価格が上がる方向に変動しているとき有価物の保管場所の空き情報に基づいて、売却処理予定日を算出することが実行される。したがって、リサイクル処理の分別解体処理により生じた有価物を、より高い値段で売却することが期待される。この結果、依頼業者への請求金額をその分抑制したり、リサイクル処理の業者への分配を増やしたりすることが望まれる。なお、算出した売却処理予定日を採用するか否かなどは、依頼業者次第であるとよい（ステップＳ６１１）。当該システムＳつまりサーバ装置１０及びそこでの情報処理は、相場関連情報を単に採用して、依頼者とリサイクル処理に関わる業者との双方を好適に結びつけることを目指すものであり、例えば有価物の高値での取引を保証するものではないからである。
【００８４】
上記の実施形態はあくまでも一例であって、本開示はその要旨を逸脱しない範囲内で適宜変更して実施しうる。本開示において説明した処理や手段は、技術的な矛盾が生じない限りにおいて、自由に組み合わせて実施することができる。
【００８５】
また、１つの装置が行うものとして説明した処理が、複数の装置によって分担して実行されてもよい。例えば、コンピュータであるサーバ装置１０は１つのコンピュータである必要はなく、複数のコンピュータを備えるシステムとして構成されてもよい。あるいは、異なる装置が行うものとして説明した処理が、１つの装置によって実行されても構わない。コンピュータシステムにおいて、各機能をどのようなハードウェア構成によって実現するかは柔軟に変更可能である。
【００８６】
本開示は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよい。非一時的なコンピュータ可読記憶媒体は、例えば、磁気ディスク（フロッピー（登録商標）ディスク、ハードディスクドライブ（ＨＤＤ）等）、光ディスク（ＣＤ−ＲＯＭ、ＤＶＤディスク、ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【００８７】
１０  サーバ装置（情報処理装置）
２０  制御部
２２  記憶部
２４  通信部
【要約】
【課題】ソーラーパネルのリサイクル処理における費用設定をより好適に行うことを可能にする構成を提供する。
【解決手段】本開示の一態様に係る実施形態のサーバ装置１０は、ソーラーパネルのリサイクル処理により生じ得る有価物の相場関連情報を取得することと、前記リサイクル処理の受付情報を取得することと、取得した前記相場関連情報と、取得した前記受付情報とに基づいて、前記リサイクル処理の費用を見積もることとを実行する制御部２０を備える。
【選択図】図５【図１】
0006913917.tif 000002
【図２】
0006913917.tif 000003
【図３】
0006913917.tif 000004
【図４】
0006913917.tif 000005
【図５】
0006913917.tif 000006
【図６】
0006913917.tif 000007